(57)【特許請求の範囲】
【請求項１】
画像情報と該画像情報について出力する頁および出力する部数の情報を有する印刷情報とが入力され、該入力された前記画像情報と前記印刷情報とに基づいて印刷出力情報を生成して出力する印刷情報出力手段と、該印刷情報出力手段にネットワークで接続され、該印刷情報出力手段から出力された前記印刷出力情報に基づいて孔版印刷を実行する孔版印刷手段と、該孔版印刷手段により印刷の施された印刷媒体を部単位にソート可能なソータ手段とを備えた孔版印刷システムにおいて、
前記印刷情報出力手段が、
前記ソータ手段において前記印刷媒体が排出されるビンの使用可能ビン数と前記部数を比較し、前記部数よりも前記使用可能ビン数の方が少ないか否かを判断する比較手段と、
該比較手段により前記部数よりも前記使用可能ビン数の方が少ないと判断された際、前記部数を前記使用可能ビン数以下の部数に分割し、複数の分割部数の情報を生成する分割部数生成手段とを有し、
前記出力する頁の画像情報および前記分割部数の情報からなる分割印刷出力情報を前記複数分生成して前記印刷出力情報としてそれぞれ出力するとともに、前記分割印刷出力情報に応じた前記分割部数の情報を含むソート設定情報を前記複数分生成して出力するものであり、
前記孔版印刷手段が、前記分割印刷出力情報毎に、該分割印刷出力情報における前記出力する頁の画像情報および前記分割部数の情報に基づいて前記頁毎に該頁の画像情報を前記分割部数だけ順次印刷するものであり、
前記ソータ手段が、前記分割印刷出力情報毎に、前記ソート設定情報に基づいて前記頁毎に前記分割部数の前記印刷媒体を順次ソートするものであるとともに、１回の動作でソートを完了するものであり、
前記ソータ手段における前記印刷媒体が排出された前記ビンの情報および前記各ビンに排出された前記印刷媒体の部数を表示する表示手段をさらに有することを特徴とする孔版印刷システム。
【請求項２】
前記表示手段が、前記ソータ手段における前記ビンに排出される前記印刷媒体の枚数が前記ビンの積載限度枚数を越える際、警告メッセージを表示することを特徴とする請求項１記載の孔版印刷システム。
【発明の詳細な説明】
【０００１】
【発明の属する技術分野】
本発明は、入力された所定の頁および部数に応じて画像情報を印刷し、該印刷の施された印刷媒体を部単位で得る孔版印刷システムに関するものである。
【０００２】
【従来の技術】
近年、様々な孔版印刷機が普及しており、この孔版印刷機に対して各種インターフェース装置を介してホストコンピュータを接続し、ホストコンピュータから出力された画像情報を印刷する孔版印刷システムが開発されている。
【０００３】
従来、上記のような孔版印刷システムにおいて、孔版印刷機がソータを備えているような場合、ソータの使用可能ビン数よりも多い部数の出力が要求されたときには、一旦使用可能ビン数より少ない部数を出力した後、出力ビンから印刷の施された印刷媒体を取り除き、残りの部数の出力を行うようにしていた。
【０００４】
【発明が解決しようとする課題】
しかしながら、孔版印刷機がネットワークを介して接続され、ユーザがソータの使用可能ビン数を知らないような場合に、ユーザが使用可能ビン数より多い部数の出力をホストコンピュータから要求すると、ソータがこれに対応することができないため、印刷処理が途中で停止して他のユーザの使用を妨げてしまったり、通常の排出場所以外の場所に出力されたりしていた。通常、ホストコンピュータと孔版印刷機とは別々の離れた場所に設置されることが多いので、ソータにおける使用可能ビン数を確認するのはユーザにとって大きな負担となる。また、例えユーザが予めソータにおける使用可能ビン数を知っていたとしても、その使用可能ビン数以内での部数の出力指示を複数回に分けて行なわなければならず、その手間と時間が余計にかかってしまっていた。
【０００５】
上記のような問題を回避するため、特開２０００−９９３０３号公報において、複数の印刷機に対し印刷出力情報を分割して出力することにより、ソータにおける使用可能ビン数よりも多い部数の印刷を行うことができる技術が開示されているが、これでは複数の印刷機が必要となり、また、どの印刷機に対し出力されたかが不明であるため、出力された印刷機を特定することがユーザにとって煩わしい作業となっていた。
【０００６】
本発明は、上記のような事情に鑑み、部単位の出力をソータを用いて行う場合において、出力しようとする部数がソータにおける使用可能ビン数よりも多いときでも、適切な出力を行うことができ、ユーザの負担を軽減することができる孔版印刷システムを提供することを目的とするものである。
【０００７】
【課題を解決するための手段】
本発明の孔版印刷システムは、画像情報とその画像情報について出力する頁および出力する部数の情報を有する印刷情報が入力され、その入力された画像情報と印刷情報とに基づいて印刷出力情報を生成して出力する印刷情報出力手段と、印刷情報出力手段から出力された印刷出力情報に基づいて孔版印刷を実行する孔版印刷手段と、孔版印刷手段により印刷の施された印刷媒体を部単位にソート可能なソータ手段とを備えた孔版印刷システムにおいて、印刷情報出力手段が、ソータ手段において印刷媒体が排出されるビンの使用可能ビン数と出力する部数を比較し、出力する部数よりも使用可能ビン数の方が少ないか否かを判断する比較手段と、比較手段により出力する部数よりも使用可能ビン数の方が少ないと判断された際、出力する部数を使用可能ビン数以下の部数に分割し、複数の分割部数の情報を生成する分割部数生成手段とを有し、出力する頁の画像情報および分割部数の情報からなる分割印刷出力情報を複数分生成して印刷出力情報としてそれぞれ出力するとともに、分割印刷出力情報に応じた分割部数の情報を含むソート設定情報を複数分生成して出力するものであり、孔版印刷手段が、分割印刷出力情報毎に、分割印刷出力情報における出力する頁の画像情報および分割部数の情報に基づいて頁毎にその頁の画像情報を分割部数だけ順次印刷するものであり、ソータ手段が、分割印刷出力情報毎に、ソート設定情報に基づいて頁毎に分割部数の印刷媒体を順次ソートするものであることを特徴とするものである。
【０００８】
ここで、上記「画像情報」とは、いわゆる画像に関する情報だけでなく、文字なども含むものとする。また、画像情報は１頁の画像情報でもよいし、複数頁の画像情報であってもよい。
【０００９】
また、上記「出力する頁と出力する部数の情報」とは、上記画像情報の中で印刷媒体として出力を要求する頁とその頁について出力を要求する部数を意味する。
【００１０】
また、上記「印刷出力情報」とは、上記孔版印刷手段が印刷を実行するために必要な情報を意味する。
【００１１】
また、上記「出力する頁の画像情報」とは、上記画像情報の中で印刷媒体として出力を要求する頁分の画像情報を意味する。従って、例えば、全部で１〜１０頁の画像を有する画像情報から１〜５頁の画像を印刷する場合には、「出力する頁の画像情報」」とは、１〜５頁の５頁分の画像情報を意味する。
【００１２】
また、上記「ソート設定情報」とは、頁毎について印刷された部数の印刷媒体をソート手段においてソートするための情報である。従って、少なくとも部数の情報は含むものであり、部数の情報のみであってもよいが、例えば、指定のビンに印刷媒体をソートするためのビンの位置情報などを含んでいてもよい。また、印刷情報出力手段から出力されたソータ設定情報は孔版印刷手段を介してソータ手段に入力されてもよいし、印刷情報出力手段から直接ソータ手段に入力されてもよい。
【００１３】
また、上記「上記部数よりも使用可能ビン数の方が少ないと判断された際、上記部数を使用可能ビン数よりも少ない部数に分割し、複数の分割部数の情報を生成する」とは、例えば、２０ビンの使用可能ビン数に対して３０部の印刷が要求された際、３０部を２で割って１５部×２に分割したり、２０部と１０部の分割したりすることを意味する。
【００１４】
また、上記孔版印刷システムは、ソータ手段における印刷媒体が排出されたビンの情報を表示する表示手段を有するようにすることができる。
【００１５】
ここで、上記「ソータ手段における印刷媒体が排出されたビンの情報」とは、ソータ手段において、印刷媒体がソートされた結果、実際にその印刷媒体が排出されたビンの位置情報を意味する。
【００１６】
また、表示手段は各ビンに排出された印刷媒体の部数を表示するようにすることができる。
【００１７】
また、表示手段は、ソータ手段におけるビンに排出される印刷媒体の枚数がビンの積載限度枚数を越える際、警告メッセージを表示するようにすることができる。
【００１８】
【発明の効果】
本発明の孔版印刷システムによれば、比較手段により出力する部数よりも使用可能ビン数の方が少ないと判断された際、上記部数を使用可能ビン数以下の部数に分割して複数の分割部数の情報を生成し、出力する頁の画像情報および分割部数の情報からなる分割印刷出力情報を複数分生成して印刷出力情報としてそれぞれ出力するとともに、分割印刷出力情報に応じた分割部数の情報を含むソート設定情報を複数分生成して出力し、分割印刷出力情報毎に、分割印刷出力情報における出力する頁の画像情報および分割部数の情報に基づいて頁毎にその頁の画像情報を分割部数だけ順次印刷し、ソータ手段が、分割印刷出力情報毎に、ソート設定情報に基づいて頁毎に分割部数の印刷媒体を順次ソートするようにしたので、ソータ手段における使用可能ビン数よりも多い部数の出力が要求された場合でも、印刷途中で処理が停止して他のユーザが使用できなくなったりすることなく、確実に部単位で印刷媒体を出力することができる。従って、ユーザが特にソータ手段における使用可能ビン数を確認したりする手間をかけることなく所望の部数の出力を設定することができる。
【００１９】
また、上記孔版印刷システムにおいて、ソータ手段における印刷媒体が排出されたビンの情報を表示するようにした場合には、ユーザがどのビンに所望の印刷媒体が出力されたかを容易に確認することができる。
【００２０】
また、上記表示手段が、各ビンに排出された印刷媒体の部数を表示するようにした場合には、１のビンに複数の部数の印刷媒体が出力されていても、ユーザは容易にこれを１部ずつに仕分けることができる。
【００２１】
また、上記表示手段が、ソータ手段におけるビンに排出される印刷媒体の枚数がビンの積載限度枚数を越える際、警告メッセージを表示するようにした場合には、ユーザが印刷情報の設定が不適当であることを容易に知ることができ、再設定などの処置を施すことができる。
【００２２】
【発明の実施の形態】
以下、図面を参照しながら本発明の孔版印刷システムの一実施形態を説明する。図１は本発明による孔版印刷システムの概略構成図である。
【００２３】
本発明による孔版印刷システムは、画像情報およびその画像情報について出力する頁と出力する部数の情報を有する印刷情報が入力され、その入力された画像情報のうち出力する頁の画像情報および上記部数の情報からなる印刷出力情報を生成するとともに、部数の情報を含むソート設定情報を生成して出力する印刷情報出力手段１０、印刷情報出力手段１０から出力された出力する頁の画像情報および部数の情報に基づいて印刷を実行する孔版印刷手段２０、および孔版印刷手段２０により印刷が施された印刷媒体を上記ソート設定情報に基づいてソートするソータ手段３０とを備えている。なお、印刷情報出力手段１０と孔版印刷手段３０とは印刷出力情報を流すためのケーブル４０で接続されている。
【００２４】
印刷情報出力手段１０は、画像情報および印刷情報を入力することができるＰＣであり、孔版印刷手段２０に対応したプリンタドライバがインストールされている。このプリンタドライバが画像情報および印刷情報に基づいて印刷出力情報を生成する。印刷情報出力手段１０は、画像情報を入力、編集することができるキーボードからなる入力手段１１と、プリンタドライバがインストールされた本体１２と、画像情報などを表示することができる表示手段１３とを備えている。
【００２５】
印刷情報出力手段１０における本体１２は、詳細には図２に示すように、印刷情報を設定する印刷設定部１４、印刷設定部１４において設定された印刷情報および画像情報に基づいて印刷出力情報を生成するプリンタドライバ部１５、プリンタドライバ部１５において生成された印刷出力情報を孔版印刷手段２０に出力する印刷出力情報送信部１６、および印刷情報、画像情報および印刷出力情報を記憶する記憶部１７を備えている。また、印刷設定部１４においては印刷情報の設定の他に部単位で印刷媒体を得るか否かを選択できるようになっている。そして、プリンタドライバ部１５は、印刷設定部１４において部単位で印刷媒体を得るように選択されたか否かをチェックする部単位チェック部１８、部単位チェック部１８で部単位で印刷媒体を得るように選択されたとき、ソータ手段３０における使用可能ビン数と出力する部数とを比較し、出力する部数よりも使用可能ビン数の方が少ないか否かを判断する比較手段２１、比較手段２１により出力する部数よりも使用可能ビン数の方が少ないと判断された際、出力する部数を使用可能ビン数よりも少ない部数に分割し、複数の分割部数の情報を生成する分割部数生成手段２２、および出力する頁の画像情報および分割部数の情報からなる分割印刷出力情報を上記複数分生成して印刷出力情報として出力するとともに、この分割印刷出力情報に応じた分割部数の情報を含むソート設定情報を複数分生成して出力する印刷出力情報生成部１９とを備えている。
【００２６】
また、本体１２は、ソータ手段３０における使用可能ビン数を孔版印刷手段２０から受信し、プリンタドライバ部１５における比較手段２１に出力するソータ状態受信部２３を備えている。なお、本実施の形態では、上記の通り使用可能ビン数を孔版印刷手段２０から受信するようにしたが、比較手段２１に予め設定するようにしてもよい。
【００２７】
孔版印刷手段２０は、印刷情報出力手段１０から出力された印刷出力情報に基づいて、未穿孔の孔版原紙に穿孔を施すことにより製版を行う製版機能付きの孔版印刷装置である。
【００２８】
ソータ手段３０は、孔版印刷手段２０により印刷の施された印刷媒体が排出されるビン３５を複数備えており、印刷情報出力手段１０から出力されるソート設定情報に基づいてビン３５が上下に移動することによりそれぞれのビンに印刷媒体がソートされて排出される。
【００２９】
ケーブル４０は、一般的な有線ケーブルでもよいし、ＬＡＮなどの通信ケーブルを利用してもよい。
【００３０】
本実施の形態の孔版印刷システムの動作について説明する。ここでは、印刷情報出力手段１０の入力手段１１により入力され、生成された１〜５頁の画像情報を３０部印刷する際の作用について説明する。なお、ソータ手段３０における使用可能ビン数は２０であり、出力しようとする３０部よりも少ないものとし、また、ソータ手段３０の１つのビンに積載可能な印刷媒体の積載限度枚数は１００枚であるとする。
【００３１】
まず、印刷情報出力手段１０の印刷設定部１４により表示手段１３に図３に示すような印刷メニューが表示される。そして、例えば、画像情報の全ての頁（本実施の形態においては１〜５頁）について３０部の印刷媒体を、部単位で得たい場合は、「すべて」のチェック欄にチェックをつけ、部数の入力欄に３０を設定し、「部単位で印刷」のチェック欄にチェックをつける。その後、ＯＫボタンをクリックすると、上記のようにして設定された印刷情報が印刷設定部１４からプリンタドライバ部１５に出力される。
【００３２】
そして、プリンタドライバ部１５では、まず、印刷設定部１４において「部単位で印刷」が選択されたか否かを部単位チェック部１８において確認する。そして、部単位チェック部１８において確認された情報とともに画像情報および印刷情報が印刷出力情報生成部１９に出力される。ここで、印刷出力情報生成部１９に「部単位で印刷」が選択された情報が入力されたとき、印刷出力情報生成部１９では、図４に示すフローチャートに従って印刷出力情報５０が生成される。
【００３３】
まず、プリンタドライバ１５は部単位で印刷か否かをチェックする（Ｓ１）。Ｓ１において、部単位で印刷する指示があれば比較手段２１においてソータ手段３０の使用可能ビン数と印刷設定部１４において設定された部数とが比較される（Ｓ４）。なお、ソータ手段３０における使用可能ビン数は、孔版印刷手段２０から出力され、これをソータ状態受信部２３より受信することにより得ることができる。
【００３４】
出力する部数が３０部の場合には、ソータ手段２０の使用可能ビン数が２０ビンであり出力部数３０よりも少ないので、プリンタドライバ部１５における分割部数生成手段２２において出力部数を２で割り、この分割部数と使用可能ビン数を比較し使用可能ビン数以下であるか比較する（Ｓ６）。出力部数が３０、使用可能ビン数が２０の場合には、分割部数は１５部となり使用可能ビン数より少なくなるのでＳ８に進む。一方、Ｓ６において、分割部数が使用可能ビン数より大きい場合には表示手段１３により図５に示すような警告メッセージを表示する（Ｓ７）。なお、本実施の形態では、出力部数を２で割った部数を分割部数としたが、この分割部数が使用可能ビン数より大きい場合には、さらに２で割った部数を分割部数として使用可能ビン数と比較するようにしても良い。
【００３５】
Ｓ８では、例えば、上記のように出力部数を２で割った部数を分割部数とした場合には、出力頁に２を掛けた枚数、つまり、実際に１つのビンに排出される印刷媒体の枚数と１ビンの積載限度枚数とを比較する。従って、出力頁が１〜５頁の場合には、実際に１つのビンに排出される印刷媒体は１０枚となり、積載限度枚数より少ないのでＳ９に進む。Ｓ８において、実際に１つのビンに排出される印刷媒体の枚数が積載限度枚数を越えた場合は、Ｓ７に進み表示手段１３により図５に示すような警告メッセージを表示する。
【００３６】
Ｓ９では、印刷出力情報生成部１９において、図６に示すような１〜５頁の画像情報６１および分割部数情報６２からなる分割印刷出力情報６４が２つ生成されるとともに、その分割印刷出力情報に応じた１〜１５ビンにソートするソート設定情報６３が２つ生成される。そして、この２つの分割印刷出力情報６４は印刷出力情報６０として印刷出力情報送信部１６から孔版印刷手段２０に出力される（Ｓ３）。また、ソート設定情報６３は印刷出力情報送信部１６から孔版印刷手段２０を介してソータ手段３０に出力される。
【００３７】
なお、本実施の形態では、３０部の印刷媒体を部単位で得るのに、１〜１５ピンを利用し、１５部の印刷媒体のソートを２回繰り返すことにより行うようにしたが、図７に示すように２０ビンを使用して２０部の印刷媒体を部単位で得た後、２０ビンのうちの１０ビンを使用し、残りの１０部の印刷媒体を部単位で得るような印刷出力情報を生成するようにしてもよい。
【００３８】
一方、Ｓ４において、出力する部数が使用可能ビン数より少ない場合、例えば、出力する部数が１０部の場合には、印刷出力情報生成部１９は、図８に示すような１〜５頁の画像情報５１および部数の情報５２からなる印刷出力情報５０を生成するとともに、１〜１０ビンにソートするというソート設定情報５３を生成し（Ｓ５）、印刷出力情報５０は印刷出力情報送信部１６から孔版印刷手段２０に出力される（Ｓ３）。また、ソート設定情報５３は印刷出力情報送信部１６から孔版印刷手段２０を介してソータ手段３０に出力される。
【００３９】
また、Ｓ１において、部単位で印刷する指示がなければ、印刷出力情報生成部１９は図９に示すような１〜５頁の画像情報７１および部数の情報７２からなる印刷出力情報７０を生成するとともに、各頁の画像情報についての印刷媒体をそれぞれ１〜５ビンまでを使用して３０部ずつ排出するソート設定情報７３が生成され（Ｓ２）、印刷出力情報７０は印刷出力情報送信部１６から孔版印刷手段２０に出力される（Ｓ３）。また、ソート設定情報５３は印刷出力情報送信部１６から孔版印刷手段２０を介してソータ手段３０に出力される。また、ソート設定情報７３は印刷出力情報送信部１６から孔版印刷手段２０を介してソータ手段３０に出力される。
【００４０】
次に、孔版印刷手段２０およびソータ手段３０の動作について説明する。上記Ｓ９において生成された２つの分割印刷出力情報６４からなる印刷出力情報６０は孔版印刷手段２０に送られ、孔版印刷手段２０は、１つの分割印刷出力情報６４における各頁の画像情報６１および分割部数の情報６２に基づいて各頁の画像情報を順次１５枚印刷する。そして、ソータ手段３０にはＳ９において生成された１〜１５ビンにソートするというソート設定情報６３が入力され、このソート設定情報に基づいて、まず、１頁目の画像情報の印刷された印刷媒体をソータの１〜１５ビンを使用して順次排出する。このときのソート手段３０のソートは、印刷媒体が１枚排出される毎にビン３５が順次上に上がっていき、１枚ずつ異なるビン３５に排出されることにより行なわれる。なお、このようなソート手段３０の制御情報もソート設定情報６３に含むようにしてもよい。そして、２〜５頁についてもそれぞれ上記と同様に孔版印刷手段２０における１５枚の印刷およびソート手段３０におけるソートを行った後、もう１つの分割印刷出力情報６４に基づいて１頁目からの印刷とソートを上記と同様にして繰り返す。このときのソート手段３０のソートは、印刷媒体が１枚排出される毎にビン３５が順次下に下がっていき、１枚ずつ異なるビン３５に排出されることにより行なわれるようにしてもよいし、一旦、ソータ手段３０のビンを初期状態に戻し、再び上記のように順次上に上がっていくようにしてもよい。そして、最終的には、図６に示すように１〜１５ビンに１〜５頁の印刷媒体が各２部ずつソートされて排出される。
【００４１】
また、上記Ｓ５において生成された印刷出力情報５０は孔版印刷手段２０に送られ、孔版印刷手段２０は、印刷出力情報５０における各頁の画像情報５１および部数の情報５２に基づいて各頁の画像情報を順次１０枚印刷する。そして、ソータ手段３０にはＳ５において生成された１〜１０ビンにソートするというソート設定情報５３が入力され、このソート設定情報に基づいて、まず、１頁目の画像情報の印刷された印刷媒体をソータの１〜１０ビンを使用して順次排出する。そして、２〜５頁についてもそれぞれ上記と同様に孔版印刷手段２０における１０枚の印刷およびソータ手段３０におけるソートを行なわれ、最終的には、図８に示すように１〜１０ビンに１〜５頁の印刷媒体が１部ずつソートされて排出される。
【００４２】
また、Ｓ２において生成された印刷出力情報７０は孔版印刷手段２０に送られ、孔版印刷手段２０は、印刷出力情報７０における各頁の画像情報７１および部数の情報７２に基づいて各頁の画像情報を順次３０枚印刷する。この３０枚の印刷媒体はソータ手段３０においてソートされることなく、１頁の画像情報の印刷媒体３０枚は１ビンに排出され、２頁の画像情報の印刷媒体３０枚は２ビンに排出されという様に、各頁の画像情報について３０枚の印刷媒体が１〜５ビンの各ビンに排出される。なお、本実施形態では、上記のように部単位で印刷の指示がなかった場合にもソータ手段３０のビンを複数使用して印刷媒体を排出するようにしたが、出力する部数×出力する頁の枚数が上記積載限度枚数を超えない場合には、１つのビンに全ての頁の画像情報の印刷媒体を排出するようにしてもよい。さらに、出力する部数×出力する頁の枚数が上記積載限度枚数を超える場合には警告メッセージを表示した後に、上記のように複数のビンを使用して排出するようにしてもよい。
【００４３】
上記実施形態の孔版印刷システムによれば、比較手段２１により出力する部数よりも使用可能ビン数の方が少ないと判断された際、上記部数を使用可能ビン数よりも少ない部数に分割し、出力する頁の画像情報６１および分割部数の情報６２からなる分割印刷出力情報６４を複数分生成するとともに、分割部数の情報を含むソート設定情報６３を生成し、孔版印刷手段２０が、複数の分割印刷出力情報６４毎に、頁毎の分割部数の画像情報を順次印刷し、ソータ手段３０が、複数の分割印刷出力情報６３毎に、ソート設定情報に基づいて頁毎の分割部数の印刷媒体を順次ソートするようにしたので、ソータ手段３０における使用可能ビン数よりも多い部数の出力が要求された場合でも、印刷途中で処理が停止して他のユーザが使用できなくなったりすることなく、適切に部単位で印刷媒体を出力することができる。従って、ユーザが特にソータ手段における使用可能ビン数を確認したりする手間をかけることなく、所望の部数の出力を設定することができる。
【００４４】
さらに、図１０に示すようにソートが終了した時点でソータのどのビンに何部排出したかを表示手段１３に表示するようにすれば、ユーザーがソータにどのように排出されたのかを容易に知ることができる。
【００４５】
また、ユーザーが印刷情報出力手段１０から印刷指示を設定する際に、部単位で印刷にチェックされてOKが押されたとき、表示手段１３に図１１のように「部単位で印刷するように指定されています。そのまま実行する場合は「ＯＫ」を押してください。」と確認メッセージを表示するようにし、上記確認メッセージとあわせてソート設定情報を設定する設定画面も表示するようにすればユーザーはそのまま印刷を続行するか、ソータの再設定をおこなうか、部単位で印刷からチェックを外し印刷をおこなうかを選択することができるようになる。従って、ソータ手段３０の使用できるビン数が出力部数より少ない場合などにも孔版原紙を無駄に使用せず的確な設定に直すことができる。
【００４６】
また、上記実施形態では、印刷出力情報を生成する処理を印刷情報出力手段１０において行うようにしたが、孔版印刷手段２０において記憶装置などを設けて行うようにしてもよい。
【図面の簡単な説明】
【図１】本発明による孔版印刷システムの一実施形態の概略構成図
【図２】図１に示す孔版印刷システムの印刷情報出力手段のブロック図
【図３】表示手段に表示される印刷メニューを示す図
【図４】図１に示す孔版印刷システムのプリンタドライバ部の作用を示すフローチャート
【図５】表示手段に表示される警告メッセージを示す図
【図６】図１に示す孔版印刷システムにおいて、出力する部数より使用可能ビン数の方が少ない場合における生成される印刷出力情報およびソート設定情報と該印刷出力情報およびソート設定情報に基づいて印刷およびソートされた印刷媒体を示す図
【図７】図１に示す孔版印刷システムにおいて、出力する部数より使用可能ビン数の方が少ない場合における生成される印刷出力情報およびソート設定情報と該印刷出力情報およびソート設定情報に基づいて印刷およびソートされた印刷媒体を示す図
【図８】図１に示す孔版印刷システムにおいて、出力する部数より使用可能ビン数の方が多い場合における生成される印刷出力情報およびソート設定情報と該印刷出力情報およびソート設定情報に基づいて印刷およびソートされた印刷媒体を示す図
【図９】図１に示す孔版印刷システムにおいて、部単位で出力の指示がなかった場合における生成される印刷出力情報およびソート設定情報を示す図
【図１０】図１に示す孔版印刷システムにおいて、ソータ手段の状態を表示する場合におけるその表示態様を示す図
【図１１】表示手段に表示される確認メッセージを示す図
【符号の説明】
１０    印刷情報出力手段
１１    入力手段
１２    本体
１３    表示手段
１４    印刷設定部
１５    プリンタドライバ部
１６    印刷出力情報送信部
１７    記憶部
１８    部単位チェック部
１９    印刷出力情報生成部
２０    孔版印刷手段
２１    比較手段
２２    分割部数生成手段
２３    ソータ状態受信部
２４    印刷枚数チェック部
２５    画像情報比較部
【図１】
0003926154.tif 000002
【図２】
0003926154.tif 000003
【図３】
0003926154.tif 000004
【図４】
0003926154.tif 000005
【図５】
0003926154.tif 000006
【図６】
0003926154.tif 000007
【図７】
0003926154.tif 000008
【図８】
0003926154.tif 000009
【図９】
0003926154.tif 000010
【図１０】
0003926154.tif 000011
【図１１】
0003926154.tif 000012